(57)【要約】【課題】  結合固定作業時間の短縮と、電気的な接触性の向上や離脱防止を図れるなど、信頼性の向上を図れ、かつ、使用性に優れ、コンパクト形状に抑える。【解決手段】  中心導体１及びシェル３（外部導体）の周りの最外側部分に位置し、レセプタクル外周面に被嵌可能な筒状のカップリング４を回転自由に取り付け、カップリング４の被嵌部分４Ｂをその径が拡縮可能となるようなバネ性を有する構成（スリットを設ける）とし、レセプタクル外周面のおねじ部とねじ嵌合可能なめねじ部４ｇを設け、レセプタクルに対して、カップリング４を、ねじ込んでねじ嵌合により結合固定を行う機構及び押し込んでバネ力により結合固定を行う機構の両機構を具備したので、ねじ込むか押し込むかの選択をでき、使用性が高まる。また、固定作業が容易で、作業時間の短縮を図れると共に、レセプタクルから離脱して抜けるおそれがなく、信頼性に優れる。【選択図】  図１
2010211970.tif 000002
【特許請求の範囲】
【請求項１】
中心導体と、該中心導体の外周部に絶縁体を介在させて設けられた外部導体とを備え、レセプタクルと結合固定されるプラグにおいて、
前記中心導体及び外部導体の周りの最外側部分に位置し、前記レセプタクル外周面に被嵌可能な筒状のカップリングを、軸線と直交する方向に回転自由に取り付け、該カップリングの被嵌部分をその径が拡縮可能となるようなバネ性を有する構成とすると共に、該被嵌部分の奥側内周面に、前記レセプタクル外周面のおねじ部とねじ嵌合可能なめねじ部を設け、前記レセプタクルに対して、前記カップリングを、ねじ込んでねじ嵌合により結合固定を行う機構及び押し込んでバネ力により結合固定を行う機構を具備したことを特徴とするプラグ。
【請求項２】
前記カップリングの被嵌部分に軸方向に延びるスリットが形成されて、該被嵌部分の径が拡縮可能なバネ性を有する構成とされたことを特徴とする請求項１記載のプラグ。
【請求項３】
前記カップリングの被嵌部分の外周面に軸中心の環状溝が形成され、該環状溝に該被嵌部分が縮径する方向にバネ力が作用するリング状バネ部材を装着したことを特徴とする請求項２記載のプラグ。
【請求項４】
前記カップリングの被嵌部分と反対側の端部の外周部に複数の平面部分からなるナット部を設けたことを特徴とする請求項１〜３のうちいずれか１つに記載のプラグ。
【請求項５】
テレビジョンアンテナで受信されたテレビジョン信号を同軸ケーブルを通してテレビジョン受信装置に入力させるべく、テレビジョンアンテナとテレビジョン受信装置側のレセプタクルに結合されるアンテナプラグであることを特徴とする請求項１〜４のうちいずれか１つに記載のプラグ。
【発明の詳細な説明】
【技術分野】
【０００１】
本発明は、例えば、テレビジョンアンテナで受信されたテレビジョン信号を同軸ケーブルを通してテレビジョン受信装置に入力させるべく、テレビジョンアンテナやテレビジョン受信装置側のレセプタクルに結合固定されるアンテナプラグなどのプラグに関し、特に、その結合固定構造に関する。
【背景技術】
【０００２】
この種のアンテナプラグとして、その中心導体及び外部導体の周りに回転自由に取り付けた袋ナットを回して、該袋ナットの内周面のめねじ部をレセプタクルの外周面のおねじ部にねじ嵌合させて両者の結合固定を行う、所謂、ねじ結合固定式アンテナプラグが広く用いられている（特許文献１等参照）。
【特許文献１】特開平９−３０６６０３号公報
【発明の開示】
【発明が解決しようとする課題】
【０００３】
このような従来のアンテナプラグは、プラグをねじ込んで結合固定する構造であるため、プラグを安定して位置させて、ねじ部同士を合致させないと、ねじ込みがスムーズに行えないなど、結合固定作業が難しくて手間がかかり、多大なる時間を要する。また、ねじ嵌合状態が悪いと、レセプタクルとの結合固定状態が不完全となる場合があり、中心導体及び外部導体同士の電気的な接触が良好とならず、さらに、レセプタクルから離脱して抜けるおそれがあるなど、信頼性に劣るものであり、特に、熟練を要するため、結合固定作業に不慣れな者や女性などでは、使用し難かった。また、袋ナットを取り付けているため、製品として大型化し、重量も増し、より使用し難いという欠点もある。
【０００４】
本発明は、上記のような課題を解決するためなされたものであり、固定作業が容易で手間がかからず、作業時間の短縮を図れると共に、電気的な接触性の向上や離脱防止を図れるなど、信頼性の向上を図れ、特に、熟練を要しないため、誰でもが容易に結合固定作業が行うことができ、結合固定作業に不慣れな者や女性などにあっても、使用し易く、しかも、コンパクト形状に抑えられるプラグを提供することを目的とする。
【課題を解決するための手段】
【０００５】
上記した課題を解決するため、請求項１に係る発明のプラグは、中心導体と、該中心導体の外周部に絶縁体を介在させて設けられた外部導体とを備え、レセプタクルと結合固定されるプラグにおいて、前記中心導体及び外部導体の周りの最外側部分に位置し、前記レセプタクル外周面に被嵌可能な筒状のカップリングを、軸線と直交する方向に回転自由に取り付け、該カップリングの被嵌部分をその径が拡縮可能となるようなバネ性を有する構成とすると共に、該被嵌部分の奥側内周面に、前記レセプタクル外周面のおねじ部とねじ嵌合可能なめねじ部を設け、前記レセプタクルに対して、前記カップリングを、ねじ込んでねじ嵌合により結合固定を行う機構及び押し込んでバネ力により結合固定を行う機構を具備したことを特徴とする。
【０００６】
請求項２に係る発明のプラグは、前記カップリングの被嵌部分に軸方向に延びるスリットが形成されて、該被嵌部分の径が拡縮可能なバネ性を有する構成とされたことを特徴とする。
【０００７】
請求項３に係る発明のプラグは、前記カップリングの被嵌部分の外周面に軸中心の環状溝が形成され、該環状溝に該被嵌部分が縮径する方向にバネ力が作用するリング状バネ部材を装着したことを特徴とする。
【０００８】
請求項４に係る発明のプラグは、前記カップリングの被嵌部分と反対側の端部のの外周部に複数の平面部分からなるナット部を設けたことを特徴とする。
【０００９】
請求項５に係る発明のプラグは、テレビジョンアンテナで受信されたテレビジョン信号を同軸ケーブルを通してテレビジョン受信装置に入力させるべく、テレビジョンアンテナとテレビジョン受信装置側のレセプタクルに結合されるアンテナプラグであることを特徴とする。
【発明の効果】
【００１０】
請求項１に係る発明のプラグによれば、ねじ嵌合により結合固定を行う場合、最初にカップリングの被嵌部分をレセプタクルに対して差し込めば、プラグを安定して位置させることができるため、ねじ部同士が直ぐに合致して、ねじ込みがスムーズに行える。従って、結合固定作業が簡単になり、作業時間を短縮でき、熟練を要しないため、誰でもが容易に結合固定作業が行うことができる。
一方、バネ力により結合固定を行う場合、カップリングの被嵌部分をレセプタクルに押し込めば良く、ねじ部同士を合致させてねじ込む作業を全く行わなくとも、レセプタクルに結合固定できるため、作業がさらに容易にでき、作業時間をさらに短縮できる。従って、このようなバネ力により結合固定を行う方法を選択すれば、作業に不慣れな者や女性などでも、作業をより容易に行うことができる。
このように、ねじ嵌合により結合固定を行う機構及びバネ力により結合固定を行う機構の両機構を具備したことにより、作業を行う者によって、いずれかを選択でき、使用性を高めることができる。
また、両機構共、レセプタクルとの結合固定状態が完全なものとなり、中心導体及び外部導体同士の電気的な接触が良好となり、さらに、レセプタクルから離脱して抜けるおそれがなく、信頼性に優れている。
さらに、部品点数もさほど増加せず、コスト的に有利であると共に、従来の袋ナットを廃止し、カップリングを採用したから、コンパクトな形状に抑えられる。
【００１１】
請求項２に係る発明によれば、カップリングの被嵌部分に軸方向に延びるスリットを形成するだけの簡単な加工により、該被嵌部分の径が拡縮可能なバネ性を有する構成とすることができ、コストがかからない。
【００１２】
請求項３に係る発明によれば、カップリングのバネ性が付与された被嵌部分にリング状バネ部材を装着したため、この被嵌部分の持つバネ力に加えてさらにバネ力が付加されるため、レセプタクルとより強固に圧接し、プラグとレセプタクルとの結合固定がより確実なものとなって、電気的な接触性の向上や離脱防止をより効果的に図れる。
【００１３】
請求項４に係る発明によれば、カップリングの被嵌部分と反対側の端部の外周部にナット部を設けたため、カップリングを工具などを使用して回転できるため、力を必要としないと共に、結合固定作業がより確実かつ簡単となる。
【００１４】
請求項５に係る発明によれば、一般家庭などで良く使用される、テレビジョンアンテナとテレビジョン受信装置側のレセプタクルに結合されるアンテナプラグに適用したことで、より有効的である。
【発明を実施するための最良の形態】
【００１５】
以下、添付された図面を参照して本発明の実施の形態を詳述する。図１〜図３は、本発明の実施の形態に係るアンテナプラグＰを説明する図である。
【００１６】
図３に示すように、アンテナプラグＰは、テレビジョンアンテナａで受信されたテレビジョン信号を同軸ケーブルｂを通してテレビジョン受信装置ｃに入力させるべく、テレビジョンアンテナａやテレビジョン受信装置ｃ側のレセプタクルＲに結合固定されるものである。
【００１７】
そして、かかるアンテナプラグＰは、先端部が針状の中心導体としての中心コンタクト１と、該中心コンタクト１の外周部に設けられた絶縁体２と、該絶縁体２の外周部に設けられた外部導体としての筒状のシェル３と、該シェル３の外周部に設けられて中心コンタクト１周りの最外側部分に位置し、図２に示すレセプタクルＲの外周面に被嵌可能な筒状のカップリング４と、から概略構成されている。
【００１８】
前記シェル３は、絶縁体２周りの大径の筒部３Ａと、後方に延びる小径のパイプ部３Ｂとからなる。また、前記中心コンタクト１の基端部には、図示しないが、同軸ケーブルが接続されており、該同軸ケーブルは絶縁体２の基端開口部を経て、シェル３のパイプ部３Ｂの基端開口部から後方に導出されている。
【００１９】
前記カップリング４は、その基端部分４Ａ（後述する被嵌部分と反対側の端部）がシェル３の筒部３Ａに対し、軸線と直交する方向に回転自由に組み付けられて、中心コンタクト１周りへと筒状に延びている。この場合、カップリング４の基端部分４Ａの開口端は内側に湾曲形成（湾曲部分４ａ）されており、この湾曲部分４ａがシェル３の筒部３Ａのコーナ部分に当接係止されて回転自由に取り付けられている。
【００２０】
そして、かかるカップリング４は、レセプタクルＲの外周面への被嵌部分４Ｂの径が拡縮可能となるようなバネ性を有する構成に形成されており、本実施の形態では、カップリング４の被嵌部分４Ｂに軸方向に延びるスリット４ｂが形成されており、この被嵌部分４Ｂがバネ性を持つようになっている。かかるスリット４ｂの一端はカップリング４の被嵌部分４Ｂの開口端から開放され、他端は該被嵌部分４Ｂの奥側近くで閉塞されている。
【００２１】
また、本実施の形態では、カップリング４の被嵌部分４Ｂの外周面に軸中心を中心とする環状溝４ｃが形成されており、この環状溝４ｃに該被嵌部分４Ｂが縮径する方向にバネ力が作用するリング状バネ部材５が装着されている。このリング状バネ部材５としては、ラバー製のリング或いは一部が切除された金属製のリングなどが使用される。この場合、カップリング４の被嵌部分４Ｂの先端の外周面には、先端部に行くに従って外径が窄まる方向のテーパ面部４ｄが軸中心を中心とする環状に形成されており、これによって、リング状バネ部材５を被嵌部分４Ｂに簡単に通して装着ができるようにしている。
【００２２】
また、カップリング４の被嵌部分４Ｂの先端の内周面には、先端部に行くに従って内径が拡がる方向のテーパ面部４ｅが軸中心を中心とする環状に形成されていると共に、該テーパ面部４ｅと連なって山型をなす若干の高さの凸部４ｆが同様に軸中心を中心とする環状に形成されている。
【００２３】
さらに、カップリング４の被嵌部分４Ｂの奥側内周面には、図２に示すレセプタクルＲの後述するシェル１１外周面のおねじ部１０とねじ嵌合可能なめねじ部４ｇが設けられている。また、カップリング４の基端部分４Ａの外周部には、複数の平面部分（例えば、６つの平面部分）４ｈからなる六角ナット部４Ｃが設けられている。
【００２４】
なお、レセプタクルＲは、壁やテレビジョンなどに設置されており、図示を省略するが、上述したプラグＰの中心コンタクト１が嵌合して電気的に接触する円筒状の中心コンタクトと、該中心コンタクトの外周部に設けられた絶縁体と、該絶縁体の外周部に設けられ、プラグＰのシェル３（外部導体）と電気的に接触する筒状のシェル１１（外部導体）（図２参照）とから概略構成されており、中心コンタクトの基端部に、ケーブルが接続されており、該ケーブルはアンテナやテレビジョン内回路などに接続されている。
【００２５】
次に、かかるプラグＰの結合固定の方法について、先ず、レセプタクルＲに対して、プラグＰのカップリング４をねじ込んでねじ嵌合により結合固定を行う場合を説明する。即ち、プラグＰとレセプタクルＲの軸心を一致させ、カップリング４をレセプタクルＲに対して差し込むと、カップリング４の被嵌部分４Ｂが自身の持つバネ力及びリング状バネ部材５のバネ力に抗して拡がって、該被嵌部分４Ｂの先がレセプタクルＲの外周面に圧接する。この場合、カップリング４の被嵌部分４Ｂの先端の内周面にテーパ面部４ｅを形成してあるため、該テーパ面部４ｅが案内部分となって、被嵌部分４ＢをレセプタクルＲに対して容易に差し込むことができる。
【００２６】
ここで、差し込みをやめ、カップリング４をその六角ナット部４Ｃに係合した工具で右方向に回すと、その内周面のめねじ部４ｇがレセプタクルＲのシェル１１外周面のおねじ部１０にねじ嵌合して、プラグＰがレセプタクルＲの方向に進んで、シェル３、１１同士が当接し、カップリング４の基端部分４Ａの湾曲部分４ａがシェル３の筒部３Ａのコーナ部分に係止されているため、プラグＰの結合固定が行われる。この場合、プラグＰ側の中心コンタクト１の針状の先端部がレセプタクルＲ側の中心コンタクトの円筒状の先端部に入り込み、上述したように、プラグＰ側のシェル（外部導体）３端面がレセプタクルＲ側のシェル（外部導体）１１端面に接触する。
【００２７】
かかる結合固定状態から、カップリング４を逆の左方向に回すと、その被嵌部分４Ｂ内周面のめねじ部４ｇとレセプタクルＲのシェル１１外周面のおねじ部１０とのねじ嵌合が解かれ、その後、カップリング４を引っ張れば、プラグＰがレセプタクルＲから抜け出て、結合固定が解除される。
【００２８】
次に、レセプタクルＲに対して、プラグＰのカップリング４を押し込むことによりバネ力により結合固定を行う場合について説明すると、同様にしてプラグＰとレセプタクルＲの軸心を一致させ、プラグＰをレセプタクルＲに対して差し込んで押し込むと、プラグＰのカップリング４の被嵌部分４Ｂが自身の持つバネ力及びリング状バネ部材５のバネ力に抗して拡がって、該被嵌部分４Ｂの全部がレセプタクルＲのシェル１１外周面に圧接しつつ押し込まれ、プラグＰとレセプタクルＲとが完全に結合固定される。この場合、カップリング４の被嵌部分４Ｂの先端の内周面に若干の高さの凸部４ｆを形成してあるため、被嵌部分４ＢがレセプタクルＲのシェル１１外周面に強固に圧接し、該被嵌部分４Ｂの抜け止めに効力がある。
【００２９】
そして、カップリング４を引っ張れば、プラグＰがレセプタクルＲから抜け出て、結合固定とが解除される。
【００３０】
かかるプラグＰは次のような利点がある。即ち、ねじ嵌合により結合固定を行う場合、カップリング４をレセプタクルＲに対して差し込めば、プラグＰを安定して位置させることができるため、めねじ部４ｇとおねじ部１０同士が直ぐに合致して、ねじ込みがスムーズに行える。従って、結合固定作業が簡単になり、作業時間を短縮でき、熟練を要しないため、誰でもが容易に結合固定作業が行うことができる。
【００３１】
一方、バネ力により結合固定を行う場合、カップリング４の被嵌部分４Ｂの全部をレセプタクルＲに押し込めば、めねじ部４ｇとおねじ部１０同士を合致させてねじ込む作業を全く行わなくとも、レセプタクルＲに結合固定できるため、作業がさらに容易にでき、作業時間をさらに短縮できる。従って、このように、バネ力により結合固定を行う方法を選択すれば、作業に不慣れな者や女性などでも、作業をより容易に行うことができる。
【００３２】
このように、本発明のプラグＰは、レセプタクルＲに対して、カップリング４を、ねじ込んでねじ嵌合により結合固定を行う機構及び押し込んでバネ力により結合固定を行う機構の両機構を具備したことにより、作業を行う者によって、いずれかを選択でき、使用性を高めることができる。
【００３３】
また、両機構共、プラグＰとレセプタクルＲとの結合固定状態が完全なものとなり、中心導体及び外部導体同士の電気的な接触が良好となり、さらに、プラグＰがレセプタクルＲから離脱して抜けるおそれがなく、信頼性に優れている。
【００３４】
さらに、本実施の形態では、カップリング４の基端部分４Ａの外周部に六角ナット部４Ｃを設けたため、カップリング４を工具などを使用して回転できるため、力を必要としないと共に、結合固定作業がより確実かつ簡単となる。
【００３５】
また、プラグＰの構造は、リング状バネ部材５を追加すれば良いため、部品点数もさほど増加せず、コスト的に有利であると共に、従来の袋ナットを廃止し、本実施の形態の如く、その基端部分４Ａの外周部だけに六角ナット部４Ｃを設けたカップリング４を採用したから、コンパクトな形状に抑えられる。
【００３６】
なお、本実施の形態においては、カップリング４の被嵌部分４Ｂに軸方向に延びるスリット４ｂを形成するだけの簡単な加工により、該被嵌部分４Ｂの径が拡縮可能なバネ性を有する構成とすることができ、コストがかからないという利点を有するが、この構成に限るものではなく、要は、カップリング４の被嵌部分４Ｂの径が拡縮可能となるようなバネ性を有する構成に形成されていれば良い。
【００３７】
また、本実施の形態においては、カップリング４のバネ性が付与された被嵌部分４Ｂにリング状バネ部材５を装着したため、この被嵌部分４Ｂの持つバネ力に加えてさらにバネ力を付加されるため、レセプタクルＲとより強固に圧接し、プラグＰとレセプタクルＲとの結合固定がより確実なものとなり、電気的な接触性の向上や離脱防止をより効果的に図れる利点があるが、リング状バネ部材５を装着していないものも、本発明には含まれる。
【産業上の利用可能性】
【００３８】
レセプタクルに対して、カップリングを、ねじ込んでねじ嵌合により結合固定を行う機構及び押し込んでバネ力により結合固定を行う機構の両機構を具備したことにより、作業を行う者によって、いずれかを選択でき、使用性を高めることができるため、一般家庭などで良く使用される、テレビジョンアンテナとテレビジョン受信装置側のレセプタクルに結合されるアンテナプラグに適用すれば有効的である。
【図面の簡単な説明】
【００３９】
【図１】本発明の実施の形態に係るアンテナプラグの構成を示す平面断面図
【図２】同上のアンテナプラグとこれが結合固定されるレセプタクルを示す平面図
【図３】同上のアンテナプラグの適用箇所を説明する概略図
【符号の説明】
【００４０】
Ｐ  アンテナプラグ
Ｒ  レセプタクル
１  中心コンタクト
２  絶縁体
３  シェル
４  カップリング
４Ａ  基端部分
４Ｂ  被嵌部分
４ｂ  スリット
４ｇ  めねじ部
５  リング状バネ部材
【図１】
2010211970.tif 000003
【図２】
2010211970.tif 000004
【図３】
2010211970.tif 000005